【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
予め設定された予約動作を予め設定された開始時刻に実行させる予約制御装置であって、
外部の機器と通信を行うための通信部と、
画像を表示する表示部と、
ユーザの入力操作を受け付ける操作部と、
上記開始時刻、または該開始時刻の所定時間前に、上記通信部の通信圏内において上記予約動作を実行可能な機器を検出する機器検出手段と、
上記機器検出手段が上記予約動作を実行可能な機器を検出したときに、該検出した機器を遠隔操作するための操作画面を上記表示部に表示し、上記操作部が入力操作を受け付けたときに、該入力操作と表示中の操作画面とに応じた制御信号を、上記機器検出手段が検出した機器に上記通信部を介して送信する予約制御手段とを備えていることを特徴とする予約制御装置。
【請求項２】
予約動作と該予約動作を実行可能な機器とを対応付けた対応機器情報を記憶する記憶部を備え、
上記機器検出手段は、自装置の周囲の機器から、当該機器を特定可能な機器特定情報を、上記通信部を介して受信し、該受信した機器特定情報と上記対応機器情報とを照合することによって、上記通信部の通信圏内において上記予約動作を実行可能な機器を検出することを特徴とする請求項１に記載の予約制御装置。
【請求項３】
上記機器検出手段が検出した、上記予約動作を実行可能な機器の動作状態を取得する状態取得手段を備え、
上記予約制御手段は、上記状態取得手段が取得した動作状態が、上記機器が上記予約動作とは異なる予め定めた動作を実行していることを示している場合に、上記機器に予約動作を実行させるか否かをユーザに選択させるための操作画面を上記表示部に表示することを特徴とする請求項１または２に記載の予約制御装置。
【請求項４】
上記予約動作が、上記開始時刻に音声出力を開始する動作である場合に、
上記予約制御手段は、上記機器検出手段が検出した機器に上記予約動作を実行させた後、所定の時間が経過しても上記操作部に対する入力操作が検出されないときに、上記機器に、該機器の出力音量を上げるように要求することを特徴とする請求項１から３の何れか１項に記載の予約制御装置。
【請求項５】
上記機器検出手段が上記予約動作を実行可能な機器を検出できなかった場合に、上記予約動作に替わる動作として予め設定された代替動作を実行する代替動作実行手段を備えていることを特徴とする請求項１から４の何れか１項に記載の予約制御装置。
【請求項６】
放送を受信する放送受信部と、
上記放送受信部が受信する放送を出力する放送出力部とを備え、
上記予約動作が、予め設定された放送を出力する動作である場合に、上記機器検出手段が上記予約動作を実行可能な機器を検出できなかったときに、
上記代替動作実行手段は、上記放送受信部に上記予め設定された放送または該放送と同じ内容の放送を受信させると共に、上記放送出力部に上記放送受信部が受信する放送を出力させる代替動作を実行することを特徴とする請求項５に記載の予約制御装置。
【請求項７】
放送を受信する放送受信部と、
上記放送受信部が受信する放送を記録する放送記録部とを備え、
上記予約動作が、予め設定された放送を出力する動作である場合に、上記機器検出手段が上記予約動作を実行可能な機器を検出できなかったときに、
上記代替動作実行手段は、上記放送受信部に上記予め設定された放送または該放送と同じ内容の放送を受信させると共に、上記放送記録部に上記放送受信部が受信する放送を記録させる代替動作を実行することを特徴とする請求項５または６に記載の予約制御装置。
【請求項８】
通信ネットワークを介して外部に信号を送信するネットワーク通信部を備え、
上記予約動作が、予め設定された放送を出力する動作である場合に、上記機器検出手段が上記予約動作を実行可能な機器を検出できなかったときに、
上記代替動作実行手段は、上記ネットワーク通信部を介して外部の記録装置に信号を送信して、上記予め設定された放送または該放送と同じ内容の放送を記録させる代替動作を実行することを特徴とする請求項５から７の何れか１項に記載の予約制御装置。
【請求項９】
所定のイベントをユーザに報知する報知手段を備え、
上記予約動作が、上記開始時刻に音声出力を開始する動作である場合に、上記機器検出手段が上記予約動作を実行可能な機器を検出できなかったときに、
上記代替動作実行手段は、上記報知手段によって、上記開始時刻となったことをユーザに報知する代替動作を実行することを特徴とする請求項５から８の何れか１項に記載の予約制御装置。
【請求項１０】
通信ネットワークを介して外部から信号を受信するネットワーク通信部と、
上記ネットワーク通信部を介して受信したコンテンツを出力するコンテンツ出力部とを備え、
上記予約動作が、予め設定されたコンテンツを出力する動作である場合に、上記機器検出手段が上記予約動作を実行可能な機器を検出できなかったときに、
上記代替動作実行手段は、上記コンテンツ出力部に上記コンテンツを出力させる代替動作を実行することを特徴とする請求項５から９の何れか１項に記載の予約制御装置。
【請求項１１】
上記代替動作実行手段は、上記代替動作の候補が複数ある場合に、該複数の候補を上記表示部に表示して、実行する代替動作をユーザに選択させることを特徴とする請求項５から１０の何れか１項に記載の予約制御装置。
【請求項１２】
上記予約動作及び該予約動作の開始時刻を受信する予約情報受信部を備え、
上記予約制御手段は、上記予約情報受信部が受信した上記開始時刻または該開始時刻の所定時間前に、上記機器検出手段に上記予約情報受信部が受信した上記予約動作を実行可能な機器を検出させ、上記機器検出手段が検出した機器に上記開始時刻に上記予約動作を実行させることを特徴とする請求項１から１１の何れか１項に記載の予約制御装置。
【請求項１３】
上記予約動作の実行終了時刻を特定するための終了時刻情報に基づいて、上記予約動作の実行終了時刻を求め、上記機器検出手段が検出した機器に上記予約動作の実行を開始させた後、上記求めた実行終了時刻までの間に、上記機器検出手段に上記予約動作の実行を開始させた機器を定期的に検出させる予約中制御手段を備え、
上記予約制御手段は、上記予約中制御手段が上記機器検出手段に上記機器の検出を実行させた際に、上記機器が検出されなかったときには、上記予約動作を実行可能な機器を上記機器検出手段に再検出させ、上記機器検出手段が再検出によって検出した機器に上記予約動作を実行させることを特徴とする請求項１から１２の何れか１項に記載の予約制御装置。
【請求項１４】
上記予約制御手段は、上記機器検出手段が検出した機器であって、上記予約動作を実行させる機器に、上記通信部を介して上記予約動作の実行終了時刻を特定するための終了時刻情報を送信することを特徴とする請求項１から１３の何れか１項に記載の予約制御装置。
【請求項１５】
請求項１から１４の何れか１項に記載の予約制御装置が送信する信号に従って、予約動作を実行する予約実行装置であって、
上記予約制御装置から、同一の予約動作に対する実行要求を受信した累積回数が、予め設定した回数を越えた場合に、当該予約動作を実行する予約実行制御手段を備えていることを特徴とする予約実行装置。
【請求項１６】
請求項１から１４の何れか１項に記載の予約制御装置と、該予約制御装置が送信する信号に従って、上記予約動作を実行する機器とを含む予約制御システム。
【請求項１７】
予め設定された予約動作を予め設定された開始時刻に実行させる予約制御装置の予約制御方法であって、
上記予約制御装置は、外部の機器と通信を行うための通信部と、画像を表示する表示部と、ユーザの入力操作を受け付ける操作部とを備え、
上記開始時刻、または該開始時刻の所定時間前に、上記通信部の通信圏内において上記予約動作を実行可能な機器を検出する機器検出ステップと、
上記機器検出ステップにて上記予約動作を実行可能な機器を検出したときに、該検出した機器を遠隔操作するための操作画面を上記表示部に表示するステップと、
上記操作部が入力操作を受け付けたときに、該入力操作と上記ステップで表示された操作画面とに応じた制御信号を、上記機器検出ステップで検出した機器に上記通信部を介して送信するステップとを含むことを特徴とする予約制御方法。